(57)【要約】【課題】背面板に商品を容易に取り出すための切欠開口を簡単かつ確実に形成する。【解決手段】包装容器１を構成する背面板５の表面側に左右各側端縁の上端縁から設定長さの半切部が形成され、裏面側に表面側半切部の各上端縁を始端とし、その長さに対応する高さの台形状の半切部ｎが形成される。このため、天板８を背面板５との連設部回りに下方に向けて回動すると、背面板５の上端部が撓ませられ、背面板５の表面側に形成された直線状の半切部ｍとその裏面側に形成された台形状の半切部ｎの傾斜部ｎ１によって区画された三角形状部分５１が厚み方向略半分の位置で剥離される。そして、三角形状部分５１の剥離が背面板５の裏面側の半切部ｎの水平部ｎ２に達すると、該水平部ｎ２が折り目となり、天板８および背面板５の上端部が一体となって裏面側の半切部ｎの水平部ｎ２に沿って回動し、背面板５の上端部に台形状の切欠開口が形成される。【選択図】図４
2012140172.tif 000002
【特許請求の範囲】
【請求項１】
正面板、左右の側面板および背面板によって周囲四面を包囲するとともに、下端開口を底面板によって閉鎖する一方、上端開口を背面板に連設された天板によって開閉自在に閉鎖し、天板の開放操作時に背面板の上端部に方形状の切欠開口が形成される包装容器において、背面板の表面側に左右各側端縁の上端縁から設定長さの半切部が形成される一方、背面板の裏面側に表面側半切部の各上端縁を始端とし、その長さに対応する高さの台形状の半切部が形成されることを特徴とする包装容器。
【請求項２】
請求項１記載の包装容器において、前記天板に舌片を有するオーバーフラップが連設され、また、正面板にオーバーフラップの舌片を差込可能な切れ目が形成されるとともに、その上端縁から下方に向かって略コ字状の切り裂き目が形成され、正面板の上端縁および略コ字状の切り裂き目によって区画された部分がオーバーフラップの裏面に貼着されることを特徴とする包装容器。
【請求項３】
請求項１記載の包装容器において、前記天板に差込フラップが連設され、また、正面板にその上端縁から下方に向かってコ字状の切り裂き目が形成され、正面板の上端縁およびコ字状の切り裂き目によって区画された部分が差込フラップの表面に貼着されることを特徴とする包装容器。
【請求項４】
請求項１記載の包装容器において、前記天板に差込フラップが連設され、また、正面板に差込フラップを差込可能な切れ目が形成されるとともに、その上端縁から下方に向かって略コ字状の切り裂き目が形成され、正面板の上端縁および略コ字状の切り裂き目によって区画された部分が差込フラップの表面と貼着されることを特徴とする包装容器。
【請求項５】
請求項１記載の包装容器において、前記天板にその幅方向の垂直二等分線に関して左右対称に略く字状の切り裂き目が上端縁略中間部から左右各側端縁下端部にかけてそれぞれ形成され、また、正面板の上端縁にガイドフラップが連設されるとともに、天板の切り裂き目に沿って切り裂かれた先端部を差込可能な切れ目が形成され、天板の切り裂き目によって区画された左右の隅角部の裏面がガイドフラップと貼着されることを特徴とする包装容器。
【発明の詳細な説明】
【技術分野】
【０００１】
この発明は、菓子や薬品などの包装容器に関するものである。
【背景技術】
【０００２】
従来より、板状やスティック状の商品、例えば、チョコレート菓子や顆粒状の薬品などを容易に取り出すことができる包装容器が提案されている。例えば、包装容器１００は、図１１および図１２に示すように、上端開口を開閉可能な天板１０１にオーバーフラップ１０２を連設する一方、正面板１０３の上端部にその上端縁から略コ字状の切り裂き目ｘを形成し、また、背面板１０４の上端部にその左右の上方隅角部を始端として内方下部に向かって延びる切り裂き目ｙをそれぞれ形成するとともに、左右の切り裂き目ｙ，ｙの終端を結んで折り目ｚを形成し、包装容器１００を組み立てて菓子などを収容した後、正面板１０３の切り裂き目ｘとその上端縁とによって区画された部分をオーバーフラップ１０２の裏面に貼着して構成されている。そして、オーバーフラップ１０２の引上操作により、正面板１０３に形成された切り裂き目ｘに沿って切り裂き、正面板１０３に略コ字状の切れ目ｘに対応する方形状の切欠開口を形成するとともに、天板１０１の引下操作により、背面板１０４に形成された切り裂き目ｙに沿って切り裂き、さらに、折り目ｚに沿って折り曲げて、背面板１０４に切り裂き目ｙおよび折り目ｚに対応する台形状の切欠開口を形成する。これにより、正面板１０３および背面板１０４にそれぞれ形成された切欠開口を通して包装容器１００に収容された板状やスティック状の商品を前後方向から摘んで引き出すことができる。
【０００３】
包装容器の厚みが薄い場合、指が入りにくく商品を取り出し難いことから、前述した前後に切欠開口を形成した包装容器は、商品を容易に取り出すことができ、有用である。
【先行技術文献】
【特許文献】
【０００４】
【特許文献１】特開２００６−２２５００７号公報
【発明の概要】
【発明が解決しようとする課題】
【０００５】
しかしながら、前述した包装容器においては、背面板に形成される切り裂き目は、背面板の左右の上方隅角部からわずかに離して始端が設定されている。すなわち、背面板の上方隅角部に切り裂き目の始端が設定されると、わずかな力によっても切り裂き目に沿って切り裂きが連続して生じ、背面板が切り裂き目に沿って一部切り裂かれた商品は、消費者に品質上の疑義を生じさせることとなり、出荷し、あるいは、店頭に陳列することができないものとなる。
【０００６】
一方、背面板の切り裂き目が、上方隅角部からわずかに離して開始されることにより、消費者が商品を購入し、開封しようとして天板を引き下げた場合、必ずしも背面板の上方隅角部を始端として切り裂き目に沿って切り裂かれるとは限らず、背面板の意図しない上端縁から切り裂かれるおそれがある。このような意図しない位置から背面板が切り裂かれると、見栄えが低下し、商品の購買意欲を低下させるものとなる。また、目立たない背面板に切り裂き目が形成されていることにより、切り裂き目に気付かず、背面板の切欠開口を形成しないまま商品を取り出そうとして、円滑に取り出すことができない場合も認められる。
【０００７】
本発明は、このような問題点に鑑みてなされたもので、背面板に商品を容易に取り出すための切欠開口を簡単かつ確実に形成することのできる包装容器を提供するものである。
【課題を解決するための手段】
【０００８】
本発明は、正面板、左右の側面板および背面板によって周囲四面を包囲するとともに、下端開口を底面板によって閉鎖する一方、上端開口を背面板に連設された天板によって開閉自在に閉鎖し、天板の開放操作時に背面板の上端部に方形状の切欠開口が形成される包装容器において、背面板の表面側に左右各側端縁の上端縁から設定長さの半切部が形成される一方、背面板の裏面側に表面側半切部の各上端縁を始端とし、その長さに対応する高さの台形状の半切部が形成されることを特徴とするものである。
【０００９】
本発明によれば、天板を回動すると、天板に連設された背面板の厚み方向表面側半部が表面側の半切部に沿って切り開かれるとともに、その厚み方向裏面側半部が裏面側の半切部に沿って切り開かれる。すなわち、背面板の上端部が天板を回動して撓ませられることにより、背面板の表面側に形成された直線状の半切部とその裏面側に形成された台形状の半切部の傾斜部によって区画された三角形状部分が厚み方向略半分の位置で剥離され、三角形状部分の厚み方向表面側半部が背面板の半切部によって区画された台形状部分に連設されて天板とともに回動し、また、その厚み方向裏面側半部が背面板の台形状の半切部と上端縁とによって区画された部分を除いて背面板に残される。そして、三角形状部分が背面板の裏面側の半切部の水平部に達するまで剥離されると、該水平部が折り目として機能し、天板および天板に連設された背面板の上端部が一体となって裏面側の半切部の水平部に沿って回動する。
【００１０】
これにより、背面板の上端部に裏面側の半切部の水平部に沿って折り曲げられた、裏面側の半切部に対応する台形状の切欠開口が形成され、包装容器に収容された商品の上端部を該切欠開口を通して摘んで容易に引き出すことができる。
【００１１】
本発明において、前記天板に舌片を有するオーバーフラップが連設され、また、正面板にオーバーフラップの舌片を差込可能な切れ目が形成されるとともに、その上端縁から下方に向かって略コ字状の切り裂き目が形成され、正面板の上端縁および略コ字状の切り裂き目によって区画された部分がオーバーフラップの裏面に貼着されることが好ましい。これにより、オーバーフラップの引き出しに際して、正面板の上端部が略コ字状の切り裂き目に沿って切り裂かれて、正面板の上端縁および略コ字状の切り裂き目によって区画された部分を切欠開口に形成することができる。したがって、背面板に形成される切欠開口と相俟って包装容器に収容された商品を前後の切欠開口を通して摘んで容易に引き出すことができる。また、商品の引き出しが終われば、オーバーフラップの舌片を正面板の切れ目に差し込むことにより、背面板自ら切欠開口を閉鎖するとともに、天板が上端開口を閉鎖し、さらに、オーバーフラップが正面板の切欠開口を閉鎖した状態に保持することができる。
【００１２】
本発明において、前記天板に差込フラップが連設され、また、正面板にその上端縁から下方に向かってコ字状の切り裂き目が形成され、正面板の上端縁および略コ字状の切り裂き目によって区画された部分が差込フラップの表面に貼着されることが好ましい。これにより、差込フラップの引き出しに際して、正面板の上端部がコ字状の切り裂き目に沿って切り裂かれて、正面板の上端縁およびコ字状の切り裂き目によって区画された部分を切欠開口に形成することができる。したがって、背面板に形成される切欠開口と相俟って包装容器に収容された商品を前後の切欠開口を通して摘んで容易に引き出すことができる。また、商品の引き出しが終われば、差込フラップを正面板の裏面に沿って差し込むことにより、背面板自ら切欠開口を閉鎖するとともに、天板が上端開口を閉鎖し、さらに、差込フラップが正面板の切欠開口を閉鎖した状態に保持することができる。
【００１３】
本発明において、前記天板に差込フラップが連設され、また、正面板に差込フラップを差込可能な切れ目が形成されるとともに、その上端縁から下方に向かって略コ字状の切り裂き目が形成され、正面板の上端縁および略コ字状の切り裂き目によって区画された部分が差込フラップの表面と貼着されることが好ましい。これにより、差込フラップの引き出しに際して、正面板の上端部が略コ字状の切り裂き目に沿って切り裂かれて、正面板の上端縁および略コ字状の切り裂き目によって区画された部分を切欠開口に形成することができる。したがって、背面板に形成される切欠開口と相俟って包装容器に収容された商品を前後の切欠開口を通して摘んで容易に引き出すことができる。また、商品の引き出しが終われば、差込フラップを正面板の切れ目に差し込むことにより、背面板自ら切欠開口を閉鎖するとともに、天板が上端開口を閉鎖し、さらに、差込フラップが正面板の切欠開口を閉鎖した状態に保持することができる。
【００１４】
本発明において、前記天板にその幅方向の垂直二等分線に関して左右対称に略く字状の切り裂き目が上端縁略中間部から左右各側端縁下端部にかけてそれぞれ形成され、また、正面板の上端縁にガイドフラップが連設されるとともに、天板の切り裂き目に沿って切り裂かれた先端部を差込可能な切れ目が形成され、天板の切り裂き目によって区画された左右の隅角部の裏面がガイドフラップと貼着されることが好ましい。これにより、天板における対称な略く字状の切り裂き目によって区画された先端縁部を摘んで引き上げると、切り裂き目に沿って切り裂かれる。そして、天板を介して背面板の上端部を撓ませることにより、背面板の表面側に形成された直線状の半切部とその裏面側に形成された台形状の半切部の傾斜部によって区画された三角形状部分が厚み方向略半分の位置で剥離されて、裏面側の半切部に相当する台形状の切欠開口を形成することができる。また、商品の引き出しが終われば、切り裂き目に沿って切り裂かれた天板の先端部をガイドフラップの切れ目に差し込むことにより、背面板自ら切欠開口を閉鎖するとともに、ガイドフラップに天板を係止して上端開口を閉鎖した状態に保持することができる。
【発明の効果】
【００１５】
本発明によれば、背面板に商品を容易に取り出すための切欠開口を簡単かつ確実に形成することができる。
【図面の簡単な説明】
【００１６】
【図１】本発明の包装容器の一実施形態を示す斜視図である。
【図２】図１の包装容器の展開図および一部省略して示す裏面図である。
【図３】図１の包装容器の組立状態を示す斜視図である。
【図４】図１の包装容器の開封状態を説明する斜視図である。
【図５】図１の包装容器の変形例を示す展開図である。
【図６】図５の包装容器の開封状態を説明する斜視図である。
【図７】図１の包装容器の他の変形例を示す展開図である。
【図８】図７の包装容器の開封状態を説明する斜視図である。
【図９】図１の包装容器のもう一つの変形例を示す展開図である。
【図１０】図９の包装容器の開封状態を説明する斜視図である。
【図１１】従来の包装容器の展開図である。
【図１２】図１１の包装容器の開封状態を説明する斜視図である。
【発明を実施するための形態】
【００１７】
以下、本発明の実施の形態を図面に基づいて説明する。
【００１８】
図１には、本発明の包装容器１の一実施形態が示されている。
【００１９】
この包装容器１は、菓子などを収容して包装するものであり、コートボールを図２に示す展開図にしたがって打ち抜いた後、折り目に沿って折り込むとともに、所定部分を貼着して組み立てられる。そして、包装容器１に菓子などを収容した後、出荷される。
【００２０】
この包装容器１は、図２の展開図において、右側面板２の側端縁に、正面板３、左側面板４、背面板５および糊代６が折り目ａ，ｂ，ｃ，ｄを介して順に連設され、また、正面板３の下端縁に底面板７が折り目ｅを介して連設される一方、背面板５の上端縁に天板８およびオーバーフラップ９が折り目ｆ，ｇを介して順に連設されるとともに、その下端縁に糊代１０が折り目ｈを介して連設され、さらに、左右の側面板２，４の上下各端縁にフラップ１１が折り目ｉを介してそれぞれ連設されて構成されている。そして、正面板３には、その左右の上方隅角部近傍の上端縁からわずかに離れた位置をそれぞれ始端として略コ字状の切り裂き目ｊがオーバーフラップ９の高さに対応して形成されるとともに、その下方に位置して、オーバーフラップ９の上端縁から突出して形成された舌片９１を差込可能な下方に向かって凸の円弧状の切れ目ｋが形成されている。また、背面板５の表面側には、背面板５と左側面板４との折り目ｃに沿って、および、背面板５と糊代６との折り目ｄに沿ってその上端縁から設定長さの半切部ｍ，ｍ（図２（ａ）参照）がそれぞれ形成されている。さらに、背面板５の裏面には、その左右の上方隅角部をそれぞれ始端として、内方下部に向かって延びる設定長さの傾斜部ｎ１および該傾斜部ｎ１の各終端を結ぶ水平部ｎ２からなる台形状の半切部ｎ（図２（ｂ）参照）が形成されている。すなわち、両半切部ｍ，ｎは、背面板５の左右の上方隅角部を共通の始端として形成されている。
【００２１】
この場合、背面板５の裏面側の台形状の半切部ｎの水平部ｎ２の高さ（背面板５の上端縁（天板８との折り目ｆ）から水平部ｎ２迄の高さ）は、その表面側の直線状半切部ｍの長さよりも若干小さいか、等しく設定されている。
【００２２】
このような包装容器１を組み立てるには、図２に示す展開図にしたがってコートボールを打ち抜いた後、表裏を反転し、糊代６を背面板５に対して折り目ｄに沿って谷折りするとともに、糊代６の表面に接着剤を塗布し、次いで、正面板３を右側面板２とともに左側面板４に対して折り目ｂに沿って谷折りし、右側面板２の裏面を糊代６に貼着する（図３参照）。次いで、背面板５に対して左側面板４を折り目ｃに沿って、正面板３に対して右側面板２を折り目ａに沿ってそれぞれ起こした後、右側面板２および左側面板４に対して底面板７側の各フラップ１１をそれぞれ折り目ｉに沿って谷折りする。さらに、背面板５に対して糊代１０を折り目ｈに沿って谷折りした後、糊代１０の表面に接着剤を塗布し、正面板３に対して底面板７を折り目ｅに沿って山折りし、底面板７の裏面を糊代１０に貼着して箱状体を形成する。
【００２３】
そして、上端開口を通して商品を収容した後、背面板５に対して天板８を折り目ｆに沿って谷折りするとともに、天板８に対してオーバーフラップ９を折り目ｇに沿って谷折りする。次いで、正面板３に形成された略コ字状の切り裂き目ｊとその上端縁とによって区画された方形状の部分に接着剤を塗布し、天板８およびオーバーフラップ９をそれぞれ折り目ｆ，ｇに沿って順に折り込む際に、オーバーフラップ９の裏面を貼着すると同時に、オーバーフラップ９の舌片９１を正面板３の切れ目ｋに差し込む。
【００２４】
これにより、商品を収容した包装容器１を形成することができる。その後、包装容器１は、スーパーやコンビニエンスストアなどに出荷される。
【００２５】
商品を購入した消費者が包装容器１を開封する場合は、正面板３の切れ目ｋよりオーバーフラップ９の舌片９１を抜くように引き出すと、オーバーフラップ９の引き出しに伴って切り裂き目ｊに沿って切り裂かれ、オーバーフラップ９と接着剤を介して貼着された正面板３の略コ字状の切り裂き目ｊとその上端縁とによって区画された部分が切り離され、オーバーフラップ９と一体に引き出される。次いで、オーバーフラップ９を跳ね上げるように持ち上げると、天板８も折り目ｆに沿って回動し、なおも、オーバーフラップ９を押し下げるように回動させると、天板８を背面板５の後方に向けて撓ませることができる。この際、背面板５の表面側が半切部ｍに沿って切り開かれるとともに、その裏面側が半切部ｎの傾斜部ｎ１に沿って切り開かれる。
【００２６】
すなわち、コートボールなどは、新聞紙などの古紙を有効に利用するため、古紙をサンドイッチ状に挟んだ複数層の積層構造で形成されており、半切部ｍ，ｎによって形成された深さの積層部分のみを剥離することができる。具体的には、図４に示すように、背面板５の上端部が天板８およびオーバーフラップ９を介して後方側へ撓ませられることにより、背面板５の表面側に形成された直線状の半切部ｍとその裏面側に形成された半切部ｎの傾斜部ｎ１によって区画された三角形状部分５１が厚み方向略半分の位置で剥離され、該三角形状部分５１の厚み方向表面側半部５１１が背面板５の半切部ｎによって区画された台形状部分に連設されて天板８およびオーバーフラップ９とともに回動する一方、その厚み方向裏面側半部５１２が背面板５の半切部ｎと上端縁とによって区画された部分を除いて背面板５に残される。そして、背面板５の上端部が裏面側の半切部ｎの水平部ｎ２まで剥離されると、該水平部ｎ２が折り目として機能し、オーバーフラップ９、オーバーフラップ９に折り目ｇを介して連設された天板８および天板８に折り目ｆを介して連設された背面板５の上端部が一体となって半切部ｎの水平部ｎ２に沿って回動する。
【００２７】
この結果、正面板３の上端部に切り裂き目ｊに沿って切り裂かれた方形状の切欠開口が形成されるとともに、背面板５の上端部に半切部ｎの水平部ｎ２に沿って折り曲げられた、半切部ｎに対応する台形状の切欠開口が形成されることにより、包装容器１に収容された商品、特に、指が入らないような薄い包装容器１に収容された商品であっても、商品の上端部を正面板３の切欠開口および背面板５の切欠開口を通して前後方向から摘んで容易に引き出すことができる。
【００２８】
商品の引き出しが終われば、オーバーフラップ９を押し上げ、正面板３側に回動させることにより、天板８に折り目ｆを介して連設された背面板５の上端部が背面板５の上端部に形成された切欠開口を閉鎖するとともに、天板８が包装容器１の上端開口を閉鎖し、さらに、オーバーフラップ９が、正面板３の上端部に形成された切欠開口を閉鎖する。この状態で、オーバーフラップ９の舌片９１を正面板３の切れ目ｋに差し込んで係止すれば、オーバーフラップ９の抜け出しが防止され、包装容器１の上端開口を閉鎖した状態に保持することができる（図１参照）。
【００２９】
このように、背面板５の表面側および裏面側にそれぞれ形成された半切部ｍ，ｎは、背面板５の上方隅角部端縁に連続して形成されていることにより、背面板５の上端部を天板８およびオーバーフラップ９を利用して撓ませることにより、簡単かつ確実に背面板５に裏面側の半切部ｎに対応する形状の切欠開口を形成することができる。換言すれば、商品を取り出すために、オーバーフラップ９および天板８を跳ね上げる操作によって背面板５の上端部が撓ませられると、半切部ｍ，ｎに沿って剥離が簡単に発生することから、剥離を把握することができ、また、半切部ｍ，ｎによって確実に切欠開口を形成することができる。
【００３０】
ところで、前述した実施形態においては、オーバーフラップ９を設けるとともに、正面板３に切れ目ｋを形成し、オーバーフラップ９を正面板３の表面側に配置し、その舌片９１を切れ目ｋに差し込んで係止し、上端開口を閉鎖する場合を説明したが、オーバーフラップ９に限定するものではない。
【００３１】
以下、上端開口を閉鎖する他の変形例について説明する。
【００３２】
なお、以下の変形例において、先に説明した包装容器１と同一の部材には同一の符号を付して詳細な説明は省略する。
【００３３】
図５および図６に示すように、背面板５の上下各端縁に天板８および底面板７をそれぞれ連設するとともに、天板８および底面板７に差込フラップ１２をそれぞれ連設し、差込フラップ１２を正面板３の裏面側上端部および裏面側下端部にそれぞれ差し込んで、天板８による上端開口の閉鎖および底面板７による下端開口の閉鎖を保持するようにしてもよい。
【００３４】
この場合、天板８に連設された差込フラップ１２の表面に、正面板３の上端部に形成されたコ字状の切り裂き目ｊとその上端縁とによって区画された方形状の部分を接着剤を介して貼着する。
【００３５】
また、図７および図８に示すように、背面板５の上下各端縁に天板８および底面板７をそれぞれ連設するとともに、天板８および底面板７に差込フラップ１２をそれぞれ連設し、天板８に連設された差込フラップ１２を正面板３に形成した切れ目ｑに差し込んで、天板８による上端開口の閉鎖状態を保持するようにしてもよい。
【００３６】
この場合も、差込フラップ１２の表面に、正面板３の上端部に形成された略コ字状の切り裂き目ｊとその上端縁とによって区画された方形状の部分を接着剤を介して貼着する。      
【００３７】
さらに、前述した実施形態においては、正面板３および背面板５に切欠開口をそれぞれ形成する場合を説明したが、図９および図１０に示すように、半切部ｎ，ｍによる切欠開口のみを背面板５に形成するようにしてもよい。
【００３８】
すなわち、図９および図１０において、正面板３の上端縁にガイドフラップ１３を連設するとともに、ガイドフラップ１３に後述する天板８の先端部を差込可能な切れ目ｒを形成する一方、天板８に幅方向垂直二等分線に関して左右対称な略く字状の切り裂き目ｓを上端縁略中央部から左右各側端縁下端部にかけてそれぞれ形成する。そして、ガイドフラップ１３の表面に天板８の切り裂き目ｓ、上端縁および側端縁によって区画された左右の隅角部を接着剤を介して貼着する。
【００３９】
この包装容器１を開封するには、天板８の先端縁略中間部を摘んで上方に引き上げ、天板８を切り裂き目ｓに沿って切り裂き、該切り裂き目ｓ、上端縁および側端縁によって区画された左右の隅角部をガイドフラップ１３に残して背面板５との連設部回りに回動させるとともに、ガイドフラップ１３を正面板３との連設部回りに回動させることにより、上端開口を開口することができる。一方、上端開口を閉鎖する場合は、ガイドフラップ１３を折り込んで上端開口を閉鎖した後、天板８をガイドフラップ１３の表面に沿って移動させ、その先端部を切れ目ｒに差し込んで係止すればよい。
【符号の説明】
【００４０】
１  包装容器
２  右側面板
３  正面板
４  左側面板
５  背面板
７  底面板
８  天板
９  オーバーフラップ
１２  差込フラップ
１３  ガイドフラップ
ａ，ｂ，ｃ，ｄ，ｅ，ｆ，ｇ，ｈ，ｉ  折り目
ｊ，ｓ  切り裂き目
ｋ，ｑ，ｒ  切れ目
ｍ，ｎ  半切部
【図１】
2012140172.tif 000003
【図２】
2012140172.tif 000004
【図３】
2012140172.tif 000005
【図４】
2012140172.tif 000006
【図５】
2012140172.tif 000007
【図６】
2012140172.tif 000008
【図７】
2012140172.tif 000009
【図８】
2012140172.tif 000010
【図９】
2012140172.tif 000011
【図１０】
2012140172.tif 000012
【図１１】
2012140172.tif 000013
【図１２】
2012140172.tif 000014